(57)【要約】【課題】電車などの公共交通手段での移動受信時におけるチャンネル切り替えを容易に行うことが可能な携帯型放送受信端末を提供する。【解決手段】携帯型放送受信端末１００は、移動中の継続受信のために必要となる情報を記憶するメモリカード１０８と、現在の時刻を計測する時計部１０５と、メモリカード１０８に記憶された移動中の継続受信のために必要となる情報と、時計部１０５で計測された現在の時刻とを比較して、受信可能なチャンネルを判定するチャンネル判定部１０６とを備えている。【選択図】図１
2007228563.tif 000002
【特許請求の範囲】
【請求項１】
移動中の継続受信のために必要となる情報を記憶する記憶手段と、
現在の時刻を計測する時計手段と、
前記記憶手段に記憶された移動中の継続受信のために必要となる情報と、前記時計手段で計測された現在の時刻とを比較して、受信可能なチャンネルを判定するチャンネル判定手段と、を有する携帯型放送受信端末。
【請求項２】
受信可能なチャンネルが変更されることを報知する出力手段を、さらに有する、請求項１に記載の携帯型放送受信端末。
【請求項３】
移動に関する情報の入力を受け付ける入力手段を、さらに備え、
前記チャンネル判定手段は、前記入力された情報に合わせて受信可能なチャンネルを判定する、請求項２に記載の携帯型放送受信端末。
【請求項４】
前記記憶手段は、
携帯型放送受信端末本体に着脱可能である、請求項１から請求項３のいずれかに記載の携帯型放送受信端末。
【請求項５】
前記時計手段は、
放送に重畳された時刻情報を読み出す、請求項１に記載の携帯型放送受信端末。
【請求項６】
有線又は無線で移動中の継続受信のために必要となる情報を送受信する受信情報転送部を、さらに有する、請求項１に記載の携帯型放送受信端末。
【請求項７】
交通手段を選択する交通手段選択手段と、
インターネットから前記交通手段選択手段で選択された交通手段の運行情報を抽出する運行情報抽出手段と、
放送局の放送エリア情報を記憶する放送エリア情報記憶手段と、
前記運行情報抽出手段で抽出された前記運行情報と、前記放送エリア情報記憶手段に記憶された前記放送エリア情報とを比較して、移動中の継続受信のために必要となる受信情報を生成する受信情報生成手段と、
前記受信情報生成手段で生成された前記受信情報を記憶する記憶手段と、を有する受信情報生成装置。
【請求項８】
前記放送エリア情報記憶手段は、
インターネットから放送局の放送エリア情報を抽出する、請求項７に記載の受信情報生成装置。
【請求項９】
前記記憶手段は、
受信情報生成装置本体に着脱可能である、請求項７または請求項８に記載の受信情報生成装置。
【請求項１０】
有線又は無線で前記受信情報を送受信する受信情報転送部を、さらに有する、請求項７に記載の受信情報生成装置。
【請求項１１】
携帯型放送受信端末と受信情報生成装置とから構成される放送受信システムであって、
前記携帯型放送受信端末は、
移動中の継続受信のために必要となる受信情報を記憶する第１の記憶手段と、
現在の時刻を計測する時計手段と、
前記第１の記憶手段に記憶された前記受信情報と、前記時計手段で計測された現在の時刻とを比較して、受信可能なチャンネルを判定するチャンネル判定手段と、を備え、
前記受信情報生成装置は、
交通手段を選択する交通手段選択手段と、
インターネットから前記交通手段選択手段で選択された交通手段の運行情報を抽出する運行情報抽出手段と、
放送局の放送エリア情報を記憶する放送エリア情報記憶手段と、
前記運行情報抽出手段で抽出された前記運行情報と、前記放送エリア情報記憶手段に記憶された前記放送エリア情報とを比較して、前記受信情報を生成する受信情報生成手段と、
前記受信情報生成手段で生成された前記受信情報を記憶する第２の記憶手段と、を備えた、放送受信システム。
【請求項１２】
前記第１の記憶手段は、
前記携帯型放送受信端末本体に着脱可能である、請求項１１に記載の放送受信システム。
【請求項１３】
受信情報生成装置を備えた携帯型放送受信端末であって、
前記受信情報生成装置は、
交通手段を選択する交通手段選択手段と、
インターネットから前記交通手段選択手段で選択された交通手段の運行情報を抽出する運行情報抽出手段と、
放送局の放送エリア情報を記憶する放送エリア情報記憶手段と、
前記運行情報抽出手段で抽出された前記運行情報と、前記放送エリア情報記憶手段に記憶された前記放送エリア情報とを比較して、移動中の継続受信のために必要となる情報を生成する受信情報生成手段と、
前記受信情報生成手段で生成された前記受信情報を記憶する第２の記憶手段と、を備えた、携帯型放送受信端末。
【請求項１４】
コンピュータを、
交通手段を選択する交通手段選択手段と、
インターネットから前記交通手段選択手段で選択された交通手段の運行情報を抽出する運行情報抽出手段と、
放送局の放送エリア情報を記憶する放送エリア情報記憶手段と、
前記運行情報抽出手段で抽出された前記運行情報と、前記放送エリア情報記憶手段に記憶された前記放送エリア情報とを比較して、移動中の継続受信のために必要となる情報を生成する受信情報生成手段、として機能させるための、受信情報生成プログラム。
【請求項１５】
前記放送エリア情報記憶手段は、
インターネットから放送局の放送エリア情報を抽出する、請求項１４に記載の受信情報生成プログラム。
【請求項１６】
移動中の継続受信のために必要となる受信情報を提供するインターネット上の受信情報提供サーバと、
前記受信情報提供サーバから取得した前記受信情報を記憶する着脱可能な記憶手段、または、前記サーバから取得した前記受信情報を送受信する受信情報転送部を有する受信情報取得端末と、
請求項１から請求項６のいずれかに記載の携帯型放送受信端末と、から構成される、放送受信システム。
【請求項１７】
移動中の継続受信のために必要となる受信情報を提供するインターネット上の受信情報提供サーバと、
インターネット接続機能をさらに有する、請求項１から請求項６のいずれかに記載の携帯型放送受信端末と、から構成される、放送受信システム。
【発明の詳細な説明】
【技術分野】
【０００１】
本発明は、移動しながら放送を受信可能な携帯型放送受信端末、受信情報生成装置、放送受信システム、受信情報生成プログラムに関する。特に、携帯型放送受信端末の選局方法に関する。
【背景技術】
【０００２】
２００３年１２月より地上デジタル放送が開始された。当初は東京、名古屋、大阪のみであった放送エリアは、徐々に拡大しつつある。地上デジタル放送は、従来のアナログ放送と比較すると、高音質、高画質という特徴に加えて、ＯＦＤＭ変調方式（OFDM:Orthgonal Frequency Division Multiplexing）を採用したことにより移動しながらでも良好な受信が可能であるという特徴を備える。
【０００３】
地上デジタル放送では、固定端末向けの通常放送と、固定端末向けのハイビジョン放送と、携帯端末向けのワンセグ放送とが、多重されてサービスされている。ワンセグ放送は、携帯電話や車載テレビ、あるいはポータブルテレビなどでの受信が期待されており、移動しながらの受信が利用シーンの中では大部分を占める。また、地上デジタル放送は、日本国内を複数の放送エリアに分割し、各エリア毎にチャンネル番号などの設定が異なる。例えば、Ａ局のチャンネル番号が、東京では「２７」、名古屋では「２０」、大阪では「２４」に設定されているように、一つの放送局であるにもかかわらず、放送エリアによって異なるチャンネル番号が割り当てられている場合がある。
【０００４】
例えば、新幹線に乗車して、東京駅と新大阪駅との間を移動しながら放送番組を視聴する場合、東京エリア、名古屋エリア、大阪エリアの放送エリアをまたがって移動することになる。この場合、エリア間を移動する度に、携帯型放送受信端末のチャンネル設定を変更しなければ、東京駅を出発する時点で視聴していた所定のチャンネルの番組放送を、新大阪駅に到着するまで継続して受信することはできない。所定のチャンネルの番組放送の受信ができなくなると、視聴者は所定の操作を行って、受信可能な放送局を選局する必要がある。さらに、静岡や京都、あるいはその途中の中継局などを考慮すると、同じ放送局から発信されている放送番組を継続して視聴するためには、新幹線乗車中に何度もチャンネルを切り替える操作が必要となる。
【０００５】
この問題を解決する手段として、携帯型放送受信端末にＧＰＳ（Global Positioning System）受信機を搭載し、携帯型放送受信端末の位置情報を取得し、取得した位置情報をもとにしてインターネットに接続されたサーバから現在位置において受信可能な放送局周波数と放送局系列情報とを取得するという技術がある。そのような技術は、例えば特許文献１に開示されている。
【特許文献１】特開２００４−２３５７９号公報
【発明の開示】
【発明が解決しようとする課題】
【０００６】
しかしながら、特許文献１で用いられているＧＰＳは、カーナビゲーションシステムや一部の携帯電話端末に搭載されている技術ではあるが、携帯型放送受信端末にとっては消費電力が大きくなるなどの課題があるため、一般的な技術ではない。そのためＧＰＳを搭載していない携帯型放送受信端末の大部分において、放送エリアをまたがって所望の放送局の番組を視聴し続けるためには、視聴者が放送を受信できなくなった時にチャンネルスキャン操作を実施し、見つかった放送局の中から所望の放送局を選択しなければならなかった。
【０００７】
本発明の目的は、特に電車などの公共交通手段での移動受信時におけるチャンネル切り替えを容易に行うことが可能な携帯型放送受信端末を提供することである。
【課題を解決するための手段】
【０００８】
上記目的を達成するために本発明の携帯型放送受信端末は、移動中の継続受信のために必要となる情報を記憶する記憶手段と、現在の時刻を計測する時計手段と、前記記憶手段に記憶された移動中の継続受信のために必要となる情報と、前記時計手段で計測された現在の時刻とを比較して、受信可能なチャンネルを判定するチャンネル判定手段と、を有する。
【発明の効果】
【０００９】
本発明は、電車などの公共交通手段での移動中に放送番組を受信している時、たとえ他の放送エリア内へ移動したとしても、当初受信していた放送番組を継続して受信できるという効果がある。
【発明を実施するための最良の形態】
【００１０】
（実施の形態１）
〔１−１  携帯型放送受信端末の構成〕
〔１−１−１  携帯型放送受信端末の基本構成〕
図１は、実施の形態における携帯型放送受信端末の構成を示すブロック図である。図１に示すように、携帯型放送受信端末１００は、アンテナ１０１、選局部１０２、放送信号復調処理部１０３、入出力部１０４、時計部１０５、チャンネル判定部１０６、およびメモリカードスロット１０７を備えている。
【００１１】
アンテナ１０１は、放送波を受信することができる。アンテナ１０１は、携帯型放送受信端末１００に内蔵された内蔵アンテナで構成してもよいし、携帯型放送受信端末１００に収納可能に配されているロッドアンテナで構成してもよいし、携帯型放送受信端末１００に着脱可能なロッドアンテナやワイヤーアンテナなどの外部アンテナで構成してもよい。
【００１２】
選局部１０２は、アンテナ１０１で受信した放送波から、入出力部１０４の構成要素である操作部１０４ｃで指示されたチャンネルを選局する。
【００１３】
放送信号復調処理部１０３は、選局されたチャンネルの放送波から映像信号と音声信号を復調する。放送信号復調処理部１０３で復調された映像信号は、ＬＣＤ１０４ａ（LCD：liquid crystal display）に出力され、映像に変換されて表示される。また、放送信号復調処理部１０３で復調された音声信号は、スピーカ１０４ｂで音声に変換されて出力される。
【００１４】
入出力部１０４は、入力部と出力部とから構成されている。具体的には、出力部であるＬＣＤ１０４ａ及びスピーカ１０４ｂと、入力部である操作部１０４ｃとを備えている。ＬＣＤ１０４ａは、液晶ディスプレイパネルで構成されているが、ＥＬディスプレイパネルやプラズマディスプレイパネルなどで構成されていてもよく、少なくとも映像を表示できればよい。また、操作部１０４ｃは、一般的にパーソナルコンピュータに搭載されるキーボードや、カーソルキーや、テンキーなどで実現することができるが、その形態は限定されない。また、入出力部１０４は、入力部と出力部とを同時に備えるように図示しているが、各々独立して図示してもよい。
【００１５】
時計部１０５は、内部クロックに基づいて運針制御を行っているものである。時計部１０５からは、現在時刻を取得することができる。
【００１６】
チャンネル判定部１０６は、メモリカードスロット１０７に装着されたメモリカード１０８（本発明の記憶手段）に記憶された移動中の継続受信のために必要となる情報と、時計部１０５で計測された現在の時刻とを比較して、受信可能なチャンネルが変更されることをＬＣＤ１０４ａを用いて報知する。
【００１７】
メモリカードスロット１０７は、メモリカード１０８を着脱することができるとともに、メモリカード１０８に記録されている情報を読み出したり、メモリカード１０８に情報を書き込んだりすることができる。なお、実施の形態１では、メモリカードスロット１０７を備えているが、携帯型放送受信端末１００に対して着脱が不可能なメモリで構成してもよい。また、メモリカード１０８は、半導体記憶素子が内蔵されているが、ディスク状情報記録媒体で構成してもよい。
【００１８】
〔１−１−２  受信情報生成装置の構成〕
図２は、実施の形態における受信情報生成装置の構成を示すブロック図である。
【００１９】
図２に示すように、受信情報生成装置２００は、運行情報抽出部２０３、キーボード２０４、受信情報生成部２０５、放送エリア情報記憶部２０６、およびメモリカードスロット２０７を備えている。なお、受信情報とは、移動中に放送番組を継続受信するために必要となる情報のことである。
【００２０】
運行情報抽出部２０３は、インターネット２０２に接続された運行情報提供サーバ２０１にアクセスが可能である。運行情報抽出部２０３は、運行情報提供サーバ２０１から、交通手段の運行情報を抽出することができる。交通手段の指定は、キーボード２０４（本発明の交通手段選択手段）で指定することができる。
【００２１】
受信情報生成部２０５は、運行情報抽出部２０３で抽出された運行情報と、放送エリア情報記憶部２０６に記憶された放送エリア情報とを比較して、受信情報を生成する。
【００２２】
メモリカードスロット２０７は、受信情報を、メモリカード１０８に書き込むことができる。
【００２３】
受信情報生成装置２００をより具体的に例示すると、運行情報抽出部２０３と受信情報生成部２０５と放送エリア情報記憶部２０６とは、パーソナルコンピュータのプログラムとして実現することができる。
【００２４】
〔１−２  携帯型放送受信端末の動作〕
以下、本発明におけるデータ処理に関して説明する。
【００２５】
〔１−２−１  受信情報の生成方法〕
現在、インターネットでは、様々な列車時刻情報、乗換案内情報などが提供されている。図３は、受信情報生成装置２００におけるデータ処理の流れを示すフローチャートである。以下、携帯型放送受信端末１００の使用者が、新幹線で東京駅と新大阪駅との間を移動する場合を一例として挙げて説明する。 図３において、実線は処理の流れを示す。また、破線はデータの流れを示す。
【００２６】
まず、使用者は、キーボード２０４を操作して、任意の交通手段と出発駅と到着駅とを入力する。例えば、交通手段として「新幹線」を選択し、出発駅として「東京駅」を選択し、到着駅として「新大阪駅」を選択したとする（Ｓ３０１）。
【００２７】
運行情報抽出部２０３は、インターネット２０２を経由して運行情報提供サーバ２０１にアクセスし、新幹線の東京駅と新大阪駅との間の運行情報を抽出する（Ｓ３０２）。この抽出処理では、多くの列車の運行情報が抽出されるが、一例として、抽出された「急行４０３号」の運行情報を図４に示す。これにより、出発駅から到着駅までの間における停車駅、および到着時刻と出発時刻が判定できる。なお、図４において、時刻欄の記号「レ」は、通過であることを示す。
【００２８】
一方、放送エリア情報記憶部２０６には、鉄道の駅名、駅間距離、チャンネルリスト表示距離、チャンネルリスト番号、およびその駅の所在地域において受信可能なチャンネルリストが記憶されている。図５は、新幹線における東京駅と新大阪駅との間について、放送エリア情報記憶部２０６に記憶されている放送エリア情報を例示している。
【００２９】
図５において、駅間距離は、東京駅から新大阪駅までにおける、各駅と駅との間の距離を示す。チャンネルリスト表示距離は、駅間でチャンネルリストが変更される場所が前駅からどれだけの距離であるかを示している。例えば、新横浜駅と小田原駅との間でチャンネルリスト番号が「１」から「２」に変更されるが、チャンネルリスト番号が変更される場所は新横浜駅から３４．１ｋｍの地点であることを示している。チャンネルリスト番号は、放送エリア毎に設定されている番号であり、各チャンネルリスト番号に対応する各放送局のチャンネル番号が割り当てられている。例えば、チャンネルリスト番号「１」は、東京エリアのチャンネル番号が割り当てられており、東京エリアに端末がある時にＡ局を受信するには、端末のチャンネル番号を「２７」に設定する必要があることを示している。また、放送エリアの境界は、駅間に設定されていることが多く、これに伴いチャンネルリスト番号を切り替える必要がある場所は駅間に設定されている。
【００３０】
受信情報生成部２０５は、図４に示す運行情報および図５に示す放送エリア情報により、図６に示す「急行４０３号」に適した受信情報を生成する（Ｓ３０３）。受信情報の生成について、図７に示すフローチャートを参照して、さらに詳細に説明する。
【００３１】
図７に示すように、運行情報（図４参照）に基づき、チャンネルリスト番号が変更される駅間の所要時間を算出する（Ｓ７０１）。例えば、品川駅と静岡駅との間であれば、品川駅の出発時刻が８時１４分であり、静岡駅の到着時刻が９時０８分であるから、品川駅から静岡駅までの所要時間は５４分であることがわかる。また、図５に示す放送エリア情報により、品川駅と静岡駅との間でチャンネルリスト番号が「１」から「２」へ変更され、さらにチャンネルリスト番号が「２」から「３」へ変更されることがわかる。
【００３２】
次に、図５に示す放送エリア情報に基づき、品川駅と静岡駅との間の駅間距離を算出する（Ｓ７０２）。品川駅と静岡駅との間の駅間距離は、両駅間の駅間距離の和であり、式（１）に示すように求められる。
【００３３】
２２．０＋５５．１＋２０．７＋１６．１＋２５．５＋３４．０＝１７３．４（ｋｍ）  ・・・（１）
【００３４】
次に、チャンネルリスト番号が変更される距離を算出する（Ｓ７０３）。図５に示す放送エリア情報により、チャンネルリスト番号「１」からチャンネルリスト番号「２」への変更は、新横浜駅と小田原駅との間における所定位置において行われることがわかる。その所定位置とは、新横浜駅から３４．１ｋｍの地点である。したがって、品川駅から、チャンネルリスト番号が「１」から「２」へ変更される場所までの距離は、品川駅と新横浜駅との間の駅間距離である２２．０ｋｍに、新横浜駅からのチャンネルリスト表示距離である３４．１ｋｍを加算して、式（２）のように求められる。
【００３５】
２２．０＋３４．１＝５６．１（ｋｍ）  ・・・（２）
【００３６】
同様に、品川駅から、チャンネルリスト番号が「２」から「３」へ変更される場所までの距離は、式（３）で求められる。
【００３７】
２２．０＋５５．１＋１１．８＝８８．９（ｋｍ）  ・・・（３）
【００３８】
次に、チャンネルリスト表示時刻を算出する（Ｓ７０４）。前記の通り、品川駅の出発時刻は８時１４分であり、品川駅から静岡駅までの所要時間は５４分であり、品川駅と静岡駅との間の駅間距離は式（１）に示す通り１７３．４ｋｍである。
【００３９】
品川駅から、チャンネルリスト番号が「１」から「２」へ変更される場所までの距離は、式（２）に示す通り５６．１ｋｍであるから、品川駅を出発してからチャンネルリスト番号が「１」から「２」へ変更される場所までの所要時間は、式（４）で求められる。
【００４０】
５４×（５６．１÷１７３．４）≒１７（分）  ・・・（４）
【００４１】
品川駅の出発時刻が８時１４分であるから、チャンネルリスト番号が「１」から「２」へ変更されるチャンネルリスト表示時刻は、８時１４分に式（４）で求められた１７分を加算した、８時３１分であることがわかる。
【００４２】
同様にして、品川駅を出発した後、チャンネルリスト番号が「２」から「３」へ変更されるまでの時間は、式（５）で求められる。
【００４３】
５４×（８８．９÷１７３．４）≒２８（分）  ・・・（５）
【００４４】
そこで、チャンネルリスト番号が「２」から「３」へ変更されるチャンネルリスト表示時刻は、８時１４分に式（５）で求められた２８分を加算した、８時４２分であることがわかる。
【００４５】
以上の処理（Ｓ７０１〜Ｓ７０４）を、チャンネルリスト番号が変更されるすべての駅間について行う（Ｓ７０５）。これにより、図６に示す「急行４０３号」に適した受信情報を生成することができる（Ｓ３０３）。
【００４６】
再び、図３のフローチャートを参照して説明する。ここまでは、「急行４０３号」を例として説明したが、東京駅と新大阪駅との間を運行する新幹線の列車は、他にも多数ある。そこで、東京駅と新大阪駅との間を運行するすべての列車について、図７に示す処理を行い、受信情報を生成する（Ｓ３０４）。
【００４７】
すべての列車についてＳ３０３の処理を行えば、生成された受信情報を、メモリカードスロット２０７に装着されたメモリカード１０８に記録する（Ｓ３０５）。
【００４８】
なお、メモリカード１０８に記録される受信情報のファイルフォーマットは、端末のメーカーあるいは機種毎に独自の形式としてもよいが、テキスト形式などのように共通のファイルフォーマットであってもよい。受信情報を共通ファイルフォーマットで作成することで、メーカーや機種を問わず、他の携帯型放送受信端末や携帯電話端末などで受信情報を使用することができる。
【００４９】
〔１−２−２  放送の視聴動作〕
続いて、図８に示すフローチャートを参照して、実施の形態１の携帯型放送受信端末１００の使用者が、新幹線で東京駅と新大阪駅との間を実際に移動する場合を例として、携帯型放送受信端末１００の動作を説明する。
【００５０】
前述の「１−２−１  受信情報の生成方法」の欄で説明したように、東京駅と新大阪駅との間を運行するすべての列車について、移動中の継続受信のために必要となる情報（受信情報）が生成されている。したがって、携帯型放送受信端末１００の使用者は、東京駅と新大阪駅との間を運行するすべての列車のいずれを選択してもよい。ここでは、「急行４０３号」に乗車し、東京駅から新大阪駅までの間で、Ａ局を継続して視聴する場合を例として説明する。
【００５１】
まず、図１に示すメモリカード１０８をメモリカードスロット１０７に装着する。メモリカード１０８には、東京駅と新大阪駅との間を運行するすべての列車についての、受信情報が記録されている。
【００５２】
次に、図９に示すように、入出力部１０４の操作部１０４ｃ（図１参照）を操作し、ＬＣＤ１０４ａに表示されたメニュー９０１において「２．チャンネルリスト」を選択する。さらに、チャンネルリストメニュー９０２において「１．選択」を選択する。最後に、選択メニュー９０３において「２．電車」を選択する。この選択処理は、図８のフローチャートにおけるＳ８０１で実行される。
【００５３】
次に、ＬＣＤ１０４ａに、図１０に示す列車名入力画面が表示されるので、入出力部１０４の操作部１０４ｃを操作して、「急行４０３」と入力する（Ｓ８０２）。
【００５４】
これにより、携帯型放送受信端末１００は、メモリカード１０８に記録されている受信情報の中から、「急行４０３号」に適した受信情報を抽出する。携帯型放送受信端末１００は、抽出した受信情報に基づいて動作を行う。
【００５５】
「急行４０３号」が東京駅を出発する時には、使用者は、図６に示すチャネルリスト番号「１」のチャンネルリストにしたがって、チャンネル番号「２７」のＡ局を視聴している。チャンネル判定部１０６は、時計部１０５で計測される現在の時刻と、図６に示すチャンネルリスト表示時刻との比較を開始する（Ｓ８０３）。
【００５６】
図６に示す最初のチャンネルリスト表示時刻である８時３１分に到達すると、図１１に示すチャンネルリスト変更問い合わせ画面を、ＬＣＤ１０４ａに表示する（Ｓ８０４）。図６に示すように、現在のチャンネルリスト（チャンネルリスト番号「１」）では、Ａ局のチャンネル番号は「２７」であるが、次のチャンネルリスト（チャンネルリスト番号「２」）ではＡ局のチャンネル番号は「１９」に設定されている。
【００５７】
ここで、図１１に示すチャンネルリスト変更問い合わせ画面において、使用者が操作部１０４ｃを通じて「はい」を選択する（Ｓ８０５）と、以後、適用するチャンネルリストのチャンネルリスト番号を「１」から「２」に変更する（Ｓ８０６）。
【００５８】
さらに、入出力部１０４は、選局部１０２に対して、選局するチャンネル番号を「２７」から「１９」に切り替える指示を出し、選局部１０２はチャンネル番号「１９」に対応する放送波を受信する（Ｓ８０７）。放送信号復調処理部１０３は、選局されたチャンネルの放送波から映像信号と音声信号を復調する。復調された映像信号に基づく映像は、入出力部１０４の構成要素であるＬＣＤ１０４ａに表示される。また、復調された音声信号に基づく音声は、入出力部１０４の構成要素であるスピーカ１０４ｂで音響出力される。
【００５９】
その後も、チャンネル判定部１０６は、時計部１０５で計測される現在の時刻と、図６に示すチャンネルリスト表示時刻との比較を継続する。図６に示す、次のチャンネルリスト表示時刻である８時４２分に到達すると、図１１に示すチャンネルリスト変更問い合わせ画面を再度ＬＣＤ１０４ａに表示する。
【００６０】
Ｓ８０３からＳ８０７までの処理は、図６に示す最終のチャンネルリスト表示時刻である１０時５２分まで繰り返される（Ｓ８０８）。
【００６１】
なお、図１１に示すチャンネルリスト変更問い合わせ画面が、ＬＣＤ１０４ａに表示された時に（図８のＳ８０４）、使用者が「いいえ」を選択入力することによって（Ｓ８０５）、チャンネルリストの変更処理（図８のＳ８０６）をスキップすることができる。
【００６２】
放送エリアの境界において、地形効果により、変更前のチャンネルリストで放送が視聴可能である場合や、列車が定刻通り運行されておらず、まだ放送エリアの境界に達していないような場合などに、継続して変更前のチャンネルリストで放送を視聴することができる。すなわち、視聴の状況に合わせて、使用者がチャンネルリストを切り替えるか否かを自由に判断することができる。
【００６３】
〔１−３  実施の形態１の効果、他〕
本実施の形態の受信情報生成装置２００は、キーボード２０４より構成され交通手段を選択する交通手段選択手段と、パーソナルコンピュータのプログラムとして実現されるとともに、インターネット２０２から前記交通手段選択手段で選択された交通手段の運行情報を抽出する運行情報抽出部２０３と、放送局の放送エリア情報を記憶する放送エリア情報記憶部２０６と、前記運行情報抽出部２０３で抽出された交通手段の運行情報と、前記放送エリア情報記憶部２０６に記憶された放送局の放送エリア情報とを比較して、移動中の継続受信のために必要となる情報（受信情報）を生成する受信情報生成部２０５と、前記受信情報生成部２０５で生成された移動中の継続受信のために必要となる情報（受信情報）を記憶するメモリカード１０８より構成された記憶手段と、を有することを特徴とするものである。この受信情報生成装置２００によって、移動中の継続受信のために必要となる情報（受信情報）が、メモリカード１０８で構成される前記記憶手段に記憶される。
【００６４】
本実施の形態の携帯型放送受信端末１００は、メモリカード１０８で構成され移動中の継続受信のために必要となる情報（受信情報）を記憶する記憶手段と、現在の時刻を計測する時計部１０５と、前記記憶手段に記憶された移動中の継続受信のために必要となる情報（受信情報）と、前記時計部１０５で計測された現在の時刻とを比較して受信可能なチャンネルを判定するチャンネル判定部１０６を備えている。
【００６５】
以上のように、本実施の形態の受信情報生成装置２００と携帯型放送受信端末１００とを使用すれば、容易に現在の放送エリアを特定することができ、使用者が継続して所望の放送を見続けることが可能となる。
【００６６】
（実施の形態２）
以下、本発明の実施の形態２を、図１２〜図１７を参照しながら説明する。なお、本実施の形態では、実施の形態１と同様な構成を有するため、構成に関する詳細説明を省略する。また、本実施の形態において、実施の形態１と同様のステップについては、同一番号を付与して、詳細な説明は省略する。
【００６７】
実施の形態１では、使用者がキーボード２０４を操作して交通手段、出発駅および到着駅をそれぞれ指定する構成としたが、実際の交通手段が、何らかの原因で定刻から遅れて運行されることが考えられる。これを考慮して、実施の形態２では、交通手段の遅れ情報を指定することが可能である。
【００６８】
また、実施の形態１では、運行情報抽出部２０３が、指定された出発駅と到着駅間の全ての列車の運行情報を抽出する構成としたが、実施の形態２では、交通手段の列車種別などの情報を指定する構成である。列車種別は、鉄道会社によって異なるが、概ね「特急」、「急行」、「普通」列車のように分けることができる。指定された駅間の所要時間は、ほぼ列車種別により決められる。したがって、実施の形態２では、列車種別情報を利用して、受信情報を生成する。
【００６９】
〔２−１  受信情報の生成動作〕
図１２は、受信情報生成装置２００におけるデータ処理の流れを示すフローチャートである。以下、携帯型放送受信端末１００の使用者が、新幹線で東京駅と新大阪駅との間を移動する場合における、受信情報の生成処理を一例として挙げて説明する。 図１２において、実線は処理の流れを示す。また、破線はデータの流れを示す。
【００７０】
図１２において、携帯型放送受信端末１００の使用者が、受信情報生成装置２００のキーボード２０４を操作して、交通手段として「電車」を指定し、出発駅として「東京駅」を指定し、到着駅として「新大阪駅」を指定したとする（Ｓ３０１）。
【００７１】
次に、運行情報抽出部２０３は、インターネット２０２を経由して運行情報提供サーバ２０１にアクセスし、指定された列車の東京駅と新大阪駅との間の列車種別毎の運行情報を抽出する（Ｓ３０２）。抽出される運行情報には、図１３に例示するように、「特急」、「急行」、「普通」列車という三種類の列車種別毎に、東京駅から各停車駅までの所要時間および各駅における停車時間が含まれる。例えば、東京駅から新大阪駅まで、特急列車を利用する場合、図１３に示すように特急列車は新横浜駅、名古屋駅、京都駅のみで停車し、他の駅では停車せずに通過する。特急列車は、東京駅から新横浜駅までの所要時間が１６分であり、新横浜駅での停車時間が１分である。一方、普通列車を利用する場合、普通列車は、出発駅から到着駅までの間の全ての駅で停車し、東京駅から新横浜駅までの所要時間が１９分であり、新横浜駅での停車時間が１分である。
【００７２】
受信情報生成部２０５は、図１３に示す列車種別毎の運行情報、および図５に示す放送エリア情報により、図１４に示す「特急」、「急行」、「普通」列車毎に適した、受信情報を生成する（Ｓ３０３、Ｓ３０６）。受信情報の生成について、チャンネルリスト番号が変更される新横浜駅と小田原駅間を例として、図７に示すフローチャートを参照して説明する。
【００７３】
図７において、まず、特急列車を利用する場合について説明する。図５に示す放送エリア情報により、新横浜駅と小田原駅との間で、チャンネルリスト番号が「１」から「２」へ変更されることがわかる。このチャンネルリスト番号が変更される場所に対して、前後の特急列車停車駅は、それぞれ新横浜駅と名古屋駅である。図１３に示す列車種別毎の運行情報により、特急列車は東京駅から新横浜駅までの所要時間が１６分であり、新横浜駅で１分間停車して再び出発し、東京駅から名古屋駅までの所要時間が１時間４０分である。したがって、特急列車が新横浜駅を出発して名古屋駅に到着するまで所要時間は、式（６）に示すように１時間２３分である（Ｓ７０１）。
【００７４】
１００−１７＝８３（分）  ・・・（６）
【００７５】
次に、駅間距離を算出する。具体的には、図５に示す放送エリア情報に含まれる駅間距離の情報に基づいて、新横浜駅から名古屋駅までの駅間距離が、式（７）のように求められる（Ｓ７０２）。
【００７６】
５５．１＋２０．７＋１６．１＋２５．５＋３４．０＋４９．１＋２７．８＋３６．５＋４２．７＋２９．７＝３３７．２（ｋｍ）  ・・・（７）
【００７７】
次に、チャンネルリスト番号が変更される場所までの距離を抽出する。具体的には、放送エリア情報記憶部２０６に記憶されている放送エリア情報（図５）により、新横浜駅から、チャンネルリスト番号が「１」から「２」へ変更される場所までの距離を抽出する。その距離は、３４．１ｋｍである（Ｓ７０３）。
【００７８】
したがって、特急列車が新横浜駅を出発してから、チャンネルリスト番号が「１」から「２」へ変更されるまでの所要時間は、式（８）で求められる。
【００７９】
８３×（３４．１÷３３７．２）≒８（分）  ・・・（８）
【００８０】
また、図１３に示す列車種別毎の運行情報により、特急列車が東京駅を出発してから、新横浜駅に到着し、新横浜駅で１分間停車して再び出発するまでの時間は１７分であるので、東京駅の出発時刻から起算して、チャンネルリスト番号が「１」から「２」へ変更されるチャンネルリスト表示時間 は、式（９）で求められる（Ｓ７０４）。
【００８１】
１７＋８＝２５（分）  ・・・（９）
【００８２】
すなわち、特急列車が東京駅を出発してから、２５分後にチャンネルリスト番号が「１」から「２」へ変更されるように設定される。
【００８３】
以上の処理（Ｓ７０１〜Ｓ７０４）を、チャンネルリスト番号が変更されるすべての駅間について行う（Ｓ７０５）。これにより、図１４に示す特急列車に適した受信情報を生成することができる。
【００８４】
次に、普通列車を利用する場合について説明する。
【００８５】
チャンネルリスト番号が「１」から「２」へ変更される場所に対して、普通列車の前後停車駅は、それぞれ新横浜駅と小田原駅である。図１３に示す列車種別毎の運行情報により、普通列車は、新横浜駅から小田原駅までの所要時間が、１６分であることがわかる（Ｓ７０１）。
【００８６】
３６−２０＝１６（分）  ・・・（１０）
【００８７】
次に、放送エリア情報記憶部２０６に記憶されている放送エリア情報（図５）により、新横浜駅から小田原駅までの駅間距離と、新横浜駅からチャンネルリスト番号が「１」から「２」へ変更される場所までの距離を抽出する。具体的には、駅間距離が５５．１ｋｍで、チャンネルリスト番号が変更される場所までの距離が３４．１ｋｍである（Ｓ７０２、Ｓ７０３）。
【００８８】
したがって、普通列車が、新横浜駅から出発し、チャンネルリスト番号が「１」から「２」へ変更される場所までの所要時間は、式（１１）で求められる。
【００８９】
１６×（３４．１÷５５．１）≒１０（分）  ・・・（１１）
【００９０】
また、図１３に示す列車種別毎の運行情報により、普通列車が東京駅を出発してから、新横浜駅に到着し、新横浜駅で１分間停車して再び出発するまでの時間は、２０分であることがわかる。したがって、チャンネルリスト番号が「１」から「２」へ変更される時のチャンネルリスト表示時間が、式（１２）で求められる（Ｓ７０４）。
【００９１】
２０＋１０＝３０（分）  ・・・（１２）
【００９２】
すなわち、普通列車が東京駅を出発してから、３０分後 にチャンネルリスト番号が「１」から「２」へ変更されるように設定される。
【００９３】
以上の処理（Ｓ７０１〜Ｓ７０４）をチャンネルリストが変更されるすべての駅間について行う（Ｓ７０５）。これにより、図１４に示す普通列車に適した受信情報を生成することができる。
【００９４】
また、急行列車を利用する場合についても、特急列車、普通列車の場合と同様であるから、詳細な説明を省略する。
【００９５】
以上に説明したように、東京駅と新大阪駅との間を運行するすべての列車種別について、受信情報を生成する。受信情報を生成した後（Ｓ３０６でＹｅｓと判断された場合）、生成された受信情報を、メモリカードスロット２０７に装着されたメモリカード１０８に記録する（Ｓ３０５）。
【００９６】
〔２−２  放送の視聴動作〕
次に、使用者が、新幹線で東京駅と新大阪駅との間を実際に移動する場合を例として、実施の形態２の携帯型放送受信端末１００の動作を説明する。図１５は、携帯型放送受信端末１００の動作を示すフローチャートである。
【００９７】
図１５に示すように、まず、使用者は、受信情報が記録されたメモリカード１０８を、実施の形態２の携帯型放送受信端末１００のメモリカードスロット１０７に装着し、入出力部１０４よりメニュー設定をする（Ｓ８０１）。例えば、図９に示すようなメニュー設定を行う。
【００９８】
実施の形態２では、利用する交通手段の出発時刻と列車種別を、使用者に問い合わせるよう動作する。ＬＣＤ１０４ａに、図１６に示すように、出発時刻と列車種別を入力可能な画面を表示する。使用者は、入出力部１０４の操作部１０４ｃを操作して、出発時刻と列車種別を入力する。例えば、出発時刻は「８：０６」と入力し、列車種別は「急行」と入力する（Ｓ８０２）。
【００９９】
これにより、実施の形態２の携帯型放送受信端末１００は、メモリカード１０８に記録された東京駅と新大阪駅との間を運行する急行列車に適した受信情報に基づいて動作を行う。
【０１００】
急行列車が東京駅を出発する時には、使用者は、図１４の列車種別毎の受信情報に示すチャネルリスト番号「１」のチャンネルリストにしたがって、チャンネル番号が「２７」のＡ局を視聴していたとする。チャンネル判定部１０６は、時計部１０５で計測される現在の時刻と、チャンネルリスト表示時刻との比較を開始する（Ｓ８０３）。ここで、チャンネルリスト表示時刻は、使用者が指定した出発時刻、列車種別と、図１４の列車種別毎の受信情報に示すチャンネルリスト表示時間とから得られる。すなわち、
チャンネルリスト表示時刻＝出発時刻＋チャンネルリスト表示時間  ・・・（１３）
によって求めることができる。
【０１０１】
使用者によって指定された出発時刻が８時０６分であり、図１４に示す急行列車の最初のチャンネルリスト表示時間が１９分であるから、式（１３）に基づき、最初のチャンネルリスト表示時刻は、８時２５分であることがわかる。時計部１０５で計測される現在の時刻が８時２５分になると、図１７に示す遅れ情報問い合わせ画面を、ＬＣＤ１０４ａに表示する（Ｓ８０９）。使用者は、列車の運行状況を確認し、定刻に対して遅れて運行されていれば、遅れている時間の情報（遅れ情報）を入力する（Ｓ８１０で「Ｙｅｓ」と判断された場合）。ここで、使用者が遅れ情報として「０:０５」を入力したとすると、時計部１０５で計測される現在の時刻が８時２５分の５分後である８時３０分になるまで待ってから（Ｓ８１１、Ｓ８１２）、図１１に示すチャンネルリスト変更問い合わせ画面をＬＣＤ１０４ａに表示する（Ｓ８０４）。
【０１０２】
また、使用者が、列車の運行状況を確認した結果、定刻に対して遅れて運行されていなければ（Ｓ８１０で「Ｎｏ」と判断された場合）、直ちに図１１に示すチャンネルリスト変更問い合わせ画面をＬＣＤ１０４ａに表示する（Ｓ８０４）。
【０１０３】
以後の処理は、実施の形態１と同じであるので、詳細ない説明を省略する。
【０１０４】
〔２−３  実施の形態の効果、他〕
実施の形態２の携帯型放送受信端末１００は、メモリカード１０８よりなる受信情報を記憶する記憶手段と、現在の時刻を計測する時計部１０５と、メモリカード１０８よりなる前記記憶手段に記憶された受信情報と、前記時計部１０５で計測された現在の時刻と、移動に関する時間情報（遅れ情報）とを比較して受信可能なチャンネルを判定するチャンネル判定部１０６を備えている。
【０１０５】
実施の形態２によれば、チャンネルリストを変更する時に、移動に関する時間情報である遅れ情報を入手して、列車が定刻に対して遅れて運行されている場合にも、チャンネルリスト番号を変更すべき時刻にチャンネルリスト番号を変更することができる。
【０１０６】
また、実施の形態２では、指定された駅間の所要時間が、列車種別によりはぼ決まるという特性から、全ての列車の運行情報ではなく、列車種別毎の運行情報のみを抽出して受信情報を生成し、メモリカードに記録することとした。これにより、受信情報のデータ量を削減することができる。
【０１０７】
（実施の形態３）
本発明を実施するための形態として、実施の形態１と実施の形態２を例示した。しかし、本発明を実施するための形態は、これらに限らない。そこで、本発明のその他の実施の形態を実施の形態３として、以下にまとめて説明する。
【０１０８】
〔３−１  記憶手段の実施形態〕
本発明の記憶手段は、実施の形態１と実施の形態２で取り上げたようにメモリカード１０８のような着脱可能な記憶手段でもよいし、フラッシュメモリのように受信情報生成装置２００や携帯型放送受信端末１００に内蔵される記憶手段でもよい。記憶手段を内蔵する場合は、メモリカードスロット１０７、２０７を搭載する必要がないため、小型化、軽量化、低コスト化が可能となる。
【０１０９】
受信情報生成装置２００と携帯型放送受信端末１００のいずれか、または、双方が着脱可能な記憶手段を持たない場合、すなわち、本発明の記憶手段を内蔵する場合は、受信情報生成装置２００と携帯型放送受信端末１００を有線または無線で接続して、受信情報生成装置２００で生成された受信情報を携帯型放送受信端末１００に内蔵された記憶手段に転送すればよい。有線の接続としてはシリアル方式やパラレル方式など、無線の接続としては無線ＬＡＮや赤外線通信など、接続方式は何でもよい。
【０１１０】
実施の形態１と実施の形態２では、携帯型放送受信端末１００のチャンネル判定部１０６が、メモリカードスロット１０７に装着されたメモリカード１０８から直接、受信情報を読み込んでいた。しかし、受信情報を、いったんメモリカード１０８から携帯型放送受信端末１００に内蔵された記憶手段に転送した後に、携帯型放送受信端末１００のチャンネル判定部１０６で読み出すようにしてもよい。そうすると、メモリカード１０８に記録された受信情報を消去して、メモリカード１０８を別の用途に転用することができる。また、一般的に、メモリカード１０８よりも携帯型放送受信端末１００に内蔵された記憶手段の方が、高速に読み出しが可能である。
【０１１１】
〔３−２  放送エリア情報の実施形態〕
実施の形態１と実施の形態２では、受信情報生成装置２００の放送エリア情報記憶部２０６は、あらかじめ放送局の放送エリア情報を記憶しておくこととしたが、インターネット２０２から放送局の放送エリア情報を抽出するようにしてもよい。放送エリアの拡大が継続しているので、インターネット２０２から最新の放送局の放送エリア情報を抽出すれば、常に最新の情報に基づいて処理を行うことができる。
【０１１２】
図５は放送エリア情報記憶部２０６に記憶された放送エリア情報の一例であるが、放送局のロゴや受信に必要な各種ＩＤなどの付加情報もあわせて記憶してＬＣＤ１０４ａに表示するようにすれば、使用者の利便性を向上させることができる。
【０１１３】
放送エリア情報、受信情報は、様々な方法で作成することができるが、本発明は、これらの情報の作成方法を、実施の形態１と実施の形態２に示す方法および上記の方法に限定するものではない。
【０１１４】
〔３−３  チャンネルリスト表示の実施形態〕
実施の形態１と実施の形態２では、チャンネルリスト表示時刻に、図１１に示すチャンネルリスト変更問い合わせ画面をＬＣＤ１０４ａに表示して、使用者にチャンネルリストが切り替わることを報知する。図１１に示すチャンネルリスト変更問い合わせ画面で、使用者が「はい」を選択すると、チャンネルリストを切り替えて、チャンネルを現在視聴中の放送局の次の放送エリアでのチャンネルに切り替える。
【０１１５】
しかし、使用者がＡ局を視聴している場合、図６に示すように静岡駅と掛川駅との間ではチャンネルリスト番号が「２」から「３」に変更されるが、Ａ局のチャンネル番号は「２０」のまま変更されない。そこで、たとえチャンネルリスト表示時刻であっても、使用者が視聴している放送局のチャンネル番号が変更されない場合は、図１１に示すチャンネルリスト変更問い合わせ画面をＬＣＤ１０４ａに表示しないようにすることで、使用者に余計な手間をかけさせないようにすることができる。
【０１１６】
さらに、チャンネルリスト表示時刻であって、使用者が視聴している放送局のチャンネル番号が変更される場合であっても、図１１に示すチャンネルリスト変更問い合わせ画面をＬＣＤ１０４ａに表示せず、自動的にチャンネルリストを切り替えて、チャンネル番号を現在視聴中の放送局の次の放送エリアでのチャンネル番号に切り替えてもよい。使用者の手間をさらに省くことができる。
【０１１７】
また、上記とは逆に、チャンネルリスト表示時刻に、次の放送エリアで視聴可能なすべてのチャンネル番号を示すチャンネルリストを表示してもよい。使用者にチャンネルを切り替える契機を与えることができる。
【０１１８】
以上のように、チャンネルリスト表示についても、様々な方法が考えられるが、本発明は、チャンネルリスト表示方法を、実施の形態１と実施の形態２に示す方法および上記の方法に限定するものではない。
【０１１９】
〔３−４  受信情報提供サーバの実施形態〕
実施の形態１と実施の形態２では、受信情報生成装置２００が、インターネット２０２から交通手段の運行情報を抽出し、放送エリア情報記憶部２０６に記憶された放送局の放送エリア情報と比較して、受信情報を生成する構成としたが、インターネット２０２上の受信情報提供サーバ１２０１ が、受信情報を提供する構成としてもよい。
【０１２０】
このような放送受信システムの例を図１８に示す。図１８において、インターネット２０２上の受信情報提供サーバ１２０１には、受信情報が蓄積されている。あるいは、受信情報提供サーバ１２０１は、受信情報取得端末１２０２ からの要求により、受信情報を生成する。
【０１２１】
受信情報取得端末１２０２は、インターネット２０２上の受信情報提供サーバ１２０１から所望の受信情報を取得し、メモリカード１０８に記録する。
【０１２２】
前記メモリカード１０８を携帯型放送受信端末１００ に装着することで、前述の「１−２−２  放送の視聴方法」の欄および「２−２  放送の視聴方法」の欄で説明した、携帯型放送受信端末１００の機能を実現することができる。
【０１２３】
受信情報提供サーバ１２０１で受信情報を提供する場合は、受信情報生成装置２００の受信情報生成機能は不要（受信情報取得機能は必要）となり 、よりハードウェア及びソフトウェアの負担を軽減できる効果がある。また、交通手段の運行情報などの既存のデータベースを活用して、新しいサービスを創出することができる。なお、受信情報提供サーバ１２０１で受信情報を提供する構成の場合、受信情報生成装置２００に代えて、受信情報取得端末１２０２で受信情報を取得することもできる。
【０１２４】
なお、図１８では、受信情報取得端末１２０２から携帯型放送受信端末１００に、受信情報を受け渡すために、メモリカード１０８を使用したが、受信情報取得端末１２０２と携帯型放送受信端末１００とを有線または無線で接続して、受信情報を受け渡してもよい。
【０１２５】
また、携帯型放送受信端末１００がインターネット２０２接続機能を有する場合は、直接、インターネット２０２上の受信情報提供サーバ１２０１から、受信情報を取得することができる。その場合は、受信情報取得端末１２０２は、不要である。
【０１２６】
〔３−５  その他〕
実施の形態１と実施の形態２では、図１に示す携帯型放送受信端末１００の時計部１０５は、自身で時刻を計測することとしたが、放送波に重畳された時刻情報を読み出す構成にしてもよいし、放送波に重畳された時刻情報を定期的に読み出して自身で計測した時刻を補正する構成にしてもよい。これらの構成により、さらに正確に現在の時刻を計測することができる。
【０１２７】
携帯型放送受信端末１００は、受信情報生成装置２００の機能を包含する構成でもよい。この構成により、受信情報生成装置２００で生成された受信情報を、着脱可能な記憶手段や、有線または無線の接続で、携帯型放送受信端末１００に受け渡す手間を省くことができる。
【０１２８】
実施の形態１と実施の形態２では、受信情報生成装置２００をパーソナルコンピュータで構成したが、インターネット２０２への接続機能と、着脱可能な記憶手段あるいは有線または無線での接続機能とを有する情報処理装置であれば、パーソナルコンピュータ以外の装置でもよい。例えば、ＰＤＡ（Personal Data Assistant）や携帯電話端末などで構成してもよい。
【０１２９】
実施の形態１では受信情報生成装置２００が受信情報としてチャンネルリスト表示時刻を算出し、実施の形態２では受信情報生成装置２００が受信情報としてチャンネルリスト表示時間を算出する場合を例に示したが、受信情報生成装置２００がチャンネルリスト表示時刻とチャンネルリスト表示時間の両方を算出して記憶手段に記録するようにしてもよい。これによって、使用者は、使用の状況に合わせて、適宜、実施の形態１の方法と実施の形態２の方法のいずれかで携帯型放送受信端末１００を使用することができる。
【０１３０】
実施の形態１と実施の形態２では、新幹線を利用して東京駅と新大阪駅との間を移動する場合を例に示したが、その他の鉄道あるいは長距離バスなど、ダイヤ運行されている公共交通手段であれば、本発明を適用できることは言うまでもない。
【０１３１】
本発明の携帯型放送受信端末１００、受信情報生成装置２００および放送受信システムと受信情報生成プログラムは、特に電車などの公共交通手段での移動受信時において、視聴したい番組や系列放送局を継続して視聴できる。
【０１３２】
したがって、移動しながら放送を受信して映像と音声を出力する携帯型放送受信端末１００、例えば、ポータブルテレビやポータブルＤＶＤプレーヤなどに適用可能である。また、移動しながら放送を受信して音声を出力するポータブルラジオなどにも適用可能である。
【０１３３】
〔付記１〕
本発明の携帯型放送受信端末は、受信情報を記憶する記憶手段と、現在の時刻を計測する時計手段と、前記記憶手段に記憶された受信情報と、前記時計手段で計測された現在の時刻とを比較して、受信可能なチャンネルを判定するチャンネル判定手段とを備えている。
【０１３４】
この構成により、電車などの公共交通手段での移動中に放送番組を受信している時、たとえ他の放送エリア内へ移動したとしても、当初受信していた放送番組を継続して受信できるという効果がある。
【０１３５】
〔付記２〕
本発明の携帯型放送受信端末は、受信可能なチャンネルが変更されることを報知する出力手段を、さらに有する構成とすることができる。
【０１３６】
この構成により、使用者は、受信可能なチャンネルが変更されるタイミングを認識することができる。
【０１３７】
〔付記３〕
本発明の携帯型放送受信端末は、移動に関する情報の入力を受け付ける入力手段を、さらに備え、前記チャンネル判定手段は、前記入力された情報に合わせて受信可能なチャンネルを判定する構成とすることができる。
【０１３８】
この構成により、使用者は、移動に関する情報を入力することで、電車などの公共交通手段での移動中に放送番組を受信している時、たとえ公共交通手段が何らかの原因で定刻から遅れて運行されていたとしても、適切なタイミングで受信可能なチャンネルが変更されることを認識することができる。
【０１３９】
〔付記４〕
本発明の携帯型放送受信端末は、前記記憶手段を携帯型放送受信端末本体に着脱可能である構成とすることができる。
【０１４０】
この構成により、受信情報生成装置で生成され、着脱可能な記憶手段に記憶された受信情報を容易に読み出すことができる。
【０１４１】
〔付記５〕
本発明の携帯型放送受信端末は、前記時計手段を放送に重畳された時刻情報を読み出す構成とすることができる。
【０１４２】
この構成により、常に正確な時刻情報を受信することができるため、高い精度で携帯型放送受信端末を動作させることができる。特に、公共交通機関で移動中に時刻情報と受信情報とに基づいてチャンネル制御を行う際、チャンネル切り換えのタイミングを精度良く実行させることができる。
【０１４３】
〔付記６〕
本発明の携帯型放送受信端末は、有線又は無線で受信情報を送受信する受信情報転送部を、さらに有する構成とすることができる。
【０１４４】
この構成により、パーソナルコンピュータなどから直接受信情報を取得することができるので、メモリカードスロットを搭載しない携帯型放送受信端末にも適用可能になる。また、メモリカードスロットを搭載しなくてすむため、端末の小型化や低コスト化を実現することができる。
【０１４５】
〔付記７〕
本発明の受信情報生成装置は、交通手段を選択する交通手段選択手段と、インターネットから前記交通手段選択手段で選択された交通手段の運行情報を抽出する運行情報抽出手段と、放送局の放送エリア情報を記憶する放送エリア情報記憶手段と、前記運行情報抽出手段で抽出された前記運行情報と、前記放送エリア情報記憶手段に記憶された前記放送エリア情報とを比較して、受信情報を生成する受信情報生成手段と、前記受信情報生成手段で生成された前記受信情報を記憶する記憶手段とを備えた構成とすることができる。
【０１４６】
この構成により、携帯型放送受信端末で利用する受信情報を容易に生成することができる。
【０１４７】
〔付記８〕
本発明の受信情報生成装置は、前記放送エリア情報記憶手段をインターネットから放送局の放送エリア情報を抽出する構成とすることができる。
【０１４８】
この構成により、常に最新の放送エリア情報を取得することができる。
【０１４９】
〔付記９〕
本発明の受信情報生成装置は、前記記憶手段を受信情報生成装置本体に着脱可能である構成とすることができる。
【０１５０】
この構成により、着脱可能な記憶手段を介して、携帯型放送受信端末などに受信情報を提供することができる。よって、受信情報生成装置と携帯型放送受信端末との面倒な接続設定などを行うことなく、簡単に携帯型放送受信端末などに受信情報を提供することができる。
【０１５１】
〔付記１０〕
本発明の受信情報生成装置は、有線又は無線で前記受信情報を送受信する受信情報転送部を、さらに有する構成とすることができる。
【０１５２】
この構成により、有線または無線の通信路を介して、携帯型放送受信端末などに受信情報を転送することができる。
【０１５３】
〔付記１１〕
本発明の放送受信システムは、携帯型放送受信端末と受信情報生成装置とから構成される放送受信システムであって、
前記携帯型放送受信端末は、
移動中の継続受信のために必要となる受信情報を記憶する第１の記憶手段と、
現在の時刻を計測する時計手段と、
前記第１の記憶手段に記憶された前記受信情報と、前記時計手段で計測された現在の時刻とを比較して、受信可能なチャンネルを判定するチャンネル判定手段と、を備え、
前記受信情報生成装置は、
交通手段を選択する交通手段選択手段と、
インターネットから前記交通手段選択手段で選択された交通手段の運行情報を抽出する運行情報抽出手段と、
放送局の放送エリア情報を記憶する放送エリア情報記憶手段と、
前記運行情報抽出手段で抽出された前記運行情報と、前記放送エリア情報記憶手段に記憶された前記放送エリア情報とを比較して、前記受信情報を生成する受信情報生成手段と、
前記受信情報生成手段で生成された前記受信情報を記憶する第２の記憶手段と、を備えたものである。
【０１５４】
この構成により、電車などの公共交通手段での移動中に放送番組を受信している時、たとえ他の放送エリア内へ移動したとしても、当初受信していた放送番組を継続して受信できるという効果がある。
【０１５５】
〔付記１２〕
本発明の放送受信システムは、前記第１の記憶手段を前記携帯型放送受信端末本体に着脱可能である構成とすることができる。
【０１５６】
この構成により、受信情報生成装置で生成され、着脱可能な記憶手段に記憶された受信情報を容易に読み出すことができる。
【０１５７】
〔付記１３〕
本発明の携帯型放送受信端末は、受信情報生成装置を備えた携帯型放送受信端末であって、
前記受信情報生成装置は、
交通手段を選択する交通手段選択手段と、
インターネットから前記交通手段選択手段で選択された交通手段の運行情報を抽出する運行情報抽出手段と、
放送局の放送エリア情報を記憶する放送エリア情報記憶手段と、
前記運行情報抽出手段で抽出された前記運行情報と、前記放送エリア情報記憶手段に記憶された前記放送エリア情報とを比較して、移動中の継続受信のために必要となる受信情報を生成する受信情報生成手段と、
前記受信情報生成手段で生成された前記受信情報を記憶する第２の記憶手段と、を備えたものである。
【０１５８】
この構成により、携帯型放送受信端末のみで、電車などの公共交通手段での移動中に放送番組を受信している時、たとえ他の放送エリア内へ移動したとしても、当初受信していた放送番組を継続して受信できるという効果を達成できる。
【０１５９】
〔付記１４〕
本発明の受信情報生成プログラムは、コンピュータを、
交通手段を選択する交通手段選択手段と、
インターネットから前記交通手段選択手段で選択された交通手段の運行情報を抽出する運行情報抽出手段と、
放送局の放送エリア情報を記憶する放送エリア情報記憶手段と、
前記運行情報抽出手段で抽出された前記運行情報と、前記放送エリア情報記憶手段に記憶された前記放送エリア情報とを比較して、移動中の継続受信のために必要となる情報を生成する受信情報生成手段、
として機能させるものである。
【０１６０】
この構成により、汎用のコンピュータを受信情報生成装置として機能させることができる。
【０１６１】
〔付記１５〕
本発明の受信情報生成プログラムは、前記放送エリア情報記憶手段をインターネットから放送局の放送エリア情報を抽出する構成とすることができる。
【０１６２】
この構成により、常に最新の放送エリア情報を取得することができる。
【０１６３】
〔付記１６〕
本発明の放送受信システムは、
移動中の継続受信のために必要となる受信情報を提供するインターネット上の受信情報提供サーバと、
前記受信情報提供サーバから取得した前記受信情報を記憶する着脱可能な記憶手段、または、前記サーバから取得した前記受信情報を送受信する受信情報転送部を有する受信情報取得端末と、
付記１から付記６のいずれかに記載の携帯型放送受信端末と、
から構成されるものである。
【０１６４】
この構成により、受信情報はインターネット上の受信情報提供サーバで生成されるので、受信情報取得端末はインターネットに接続して受信情報を取得する機能のみを有すればよい。
【０１６５】
〔付記１７〕
本発明の放送受信システムは、
移動中の継続受信のために必要となる受信情報を提供するインターネット上の受信情報提供サーバと、
インターネット接続機能をさらに有する、請求項１から請求項６のいずれかに記載の携帯型放送受信端末と、
から構成されるものである。
【０１６６】
この構成により、受信情報はインターネット上の受信情報提供サーバで生成されるので、インターネット接続機能を有する携帯型放送受信端末のみで、電車などの公共交通手段での移動中に放送番組を受信している時、たとえ他の放送エリア内へ移動したとしても、当初受信していた放送番組を継続して受信できるという効果を達成できる。
【産業上の利用可能性】
【０１６７】
本発明の携帯型放送受信端末、受信情報生成装置および放送受信システムと受信情報生成プログラムは、特に電車などの公共交通手段での移動受信時において、視聴したい番組や系列放送局を継続して視聴できる。
【０１６８】
したがって、移動しながら放送を受信して映像と音声を出力する携帯型放送受信端末、例えば、ポータブルテレビやポータブルＤＶＤプレーヤなどに適用可能である。また、移動しながら放送を受信して音声を出力するポータブルラジオなどにも適用可能である。
【図面の簡単な説明】
【０１６９】
【図１】実施の形態における携帯型放送受信端末の構成を示すブロック図
【図２】実施の形態における受信情報生成装置の構成を示すブロック図
【図３】実施の形態１における受信情報の生成を示すフローチャート
【図４】実施の形態１における列車運行情報の一例を示す図
【図５】実施の形態における放送エリア情報の一例を示す図
【図６】実施の形態１における移動中の継続受信のために必要となる情報の一例を示す図
【図７】実施の形態における移動中の継続受信のために必要となる情報の生成を示すフローチャート
【図８】実施の形態１における放送の受信を示すフローチャート
【図９】実施の形態におけるメニュー設定画面の一例を示す図
【図１０】実施の形態１における列車名入力画面の一例を示す図
【図１１】実施の形態におけるチャンネルリスト変更問い合わせ画面の一例を示す図
【図１２】実施の形態２における受信情報の生成を示すフローチャート
【図１３】実施の形態２における列車運行情報の一例を示す図
【図１４】実施の形態２における移動中の継続受信のために必要となる情報の一例を示す図
【図１５】実施の形態２における放送の受信を示すフローチャート
【図１６】実施の形態２における列車出発時刻と種別入力画面の一例を示す図
【図１７】実施の形態２における列車運行情報問い合わせ画面の一例を示す図
【図１８】受信情報提供サーバを使用した放送受信システムの一例を示す図
【符号の説明】
【０１７０】
１０２  選局部
１０３  放送信号復調処理部
１０４  入出力部
１０５  時計部
１０６  チャンネル判定部
【図１】
2007228563.tif 000003
【図２】
2007228563.tif 000004
【図３】
2007228563.tif 000005
【図４】
2007228563.tif 000006
【図５】
2007228563.tif 000007
【図６】
2007228563.tif 000008
【図７】
2007228563.tif 000009
【図８】
2007228563.tif 000010
【図９】
2007228563.tif 000011
【図１０】
2007228563.tif 000012
【図１１】
2007228563.tif 000013
【図１２】
2007228563.tif 000014
【図１３】
2007228563.tif 000015
【図１４】
2007228563.tif 000016
【図１５】
2007228563.tif 000017
【図１６】
2007228563.tif 000018
【図１７】
2007228563.tif 000019
【図１８】
2007228563.tif 000020